(57)【要約】【課題】高級感があり、耐剥離性に優れた金箔貼り又はプラチナ箔貼りの湯沸かし器具の提供を目的とする。【解決手段】下地層とその上に形成した表面層とを有し、前記下地層は金メッキ層であり、前記表面層は前記金メッキ層の上に接着剤を介して箔押しした金箔層であることを特徴とする。【選択図】  図１
0003203277.tif 000002
【実用新案登録請求の範囲】
【請求項１】
下地層とその上に形成した表面層とを有し、前記下地層は金メッキ層であり、前記表面層は前記金メッキ層の上に接着剤を介して箔押しした金箔層であることを特徴とする湯沸かし器具。
【請求項２】
下地層とその上に形成した表面層とを有し、前記下地層はプラチナメッキ層であり、前記表面層は前記プラチナメッキ層の上に接着剤を介して箔押ししたプラチナ箔層であることを特徴とする湯沸かし器具。
【請求項３】
前記接着層はポリウレタン系の樹脂接着剤からなることを特徴とする請求項１又は２記載の湯沸かし器具。
【考案の詳細な説明】
【技術分野】
【０００１】
本考案は、表面に金箔又は白金箔（プラチナ箔）を貼り合せた湯沸かし器具に関する。
【背景技術】
【０００２】
古くからお湯を沸かす器具として、ケトルとも称される、やかんが使用されている。
やかんには、鉄，ステンレス，アルミ，銅，真鍮等の各素材が用いられている。
その中で鉄製のものは、鉄瓶と称されている。
やかんは、本体部，つぎ口，蓋及び取手となる鉉等からなる。
この種のやかんは、素材の質感により多くの種類のものが提案されているが、高級感に劣るものであった。
そこで本考案者は、金箔やプラチナ箔を貼り合せることを検討したが、すぐに剥がれる課題があった。
特許文献１には、金箔の下地として乾燥させたＵＶインキ層を用いる技術が開示されているが、やかんに適用できるものではない。
【先行技術文献】
【特許文献】
【０００３】
【特許文献１】特開平１０−３０９８９４号公報
【考案の開示】
【考案が解決しようとする課題】
【０００４】
本考案は、高級感があり、耐剥離性に優れた金箔貼り又はプラチナ箔貼りの湯沸かし器具の提供を目的とする。
【課題を解決するための手段】
【０００５】
本考案に係る湯沸かし器具（以下、やかんという）は、下地層とその上に形成した表面層とを有し、前記下地層は金メッキ層であり、前記表面層は前記金メッキ層の上に接着剤を介して箔押しした金箔層であることを特徴とする。
また、前記下地層はプラチナメッキ層であり、前記表面層は前記プラチナメッキ層の上に接着剤を介して箔押ししたプラチナ箔層であることを特徴とする。
ここで、接着層はポリウレタン系の樹脂接着剤からなるのが好ましい。
【０００６】
従来から金箔やプラチナ箔の貼り合せには漆が使用されていたが、やかんは湯を沸かすものであり、すぐに剥がれてしまう問題があった。
そこで、本考案者は下地にメッキ層を用いたものであり、その際に漆ではなくポリウレタン系の接着剤を用いるとさらに耐久性に優れることを見出し、本考案に至った。
【０００７】
本考案に用いる箔は、純金，金と銀及び銅との合金，純プラチナ等を延金，上澄，箔打ち等の工程を経て、厚み１０，０００分の２〜５ｍｍの箔にしたものである。
また、下地層として用いる金メッキ，プラチナメッキは、公知のメッキ浴を用いた各種電気メッキであってよい。
【０００８】
本発明に用いる接着剤は、湯を沸かす温度に耐えられるものであれば、各種接着剤を使用することができるが、その中でもポリウレタン樹脂を主剤に用いた一液又は二液性の接着剤が好ましい。
【考案の効果】
【０００９】
本考案に係るやかん（湯沸かし器具）は、メッキ層を下地にして金箔又はプラチナ箔等の箔を接着層を介して貼り合せた複層になっているので、繰り返し湯沸かしに用いても剥がれにくく、高級感があり、実用性の高いやかんが得られる。
また、金箔，プラチナ箔は、接着層を介して二重以上に箔押しして貼り合せると、さらに剥がれにくくなる。
【図面の簡単な説明】
【００１０】
【図１】本考案に係るやかんの表層構造例を示す。
【図２】下地層に金メッキを用いて、表面に金箔を貼り合せた例の写真（グレースケール）を示す。
【考案を実施するための最良の形態】
【００１１】
本考案に係るやかんの例を以下、図面に基づいて説明する。
図１にやかんの模式図を示し、図２に外観写真（グレースケール）を示す。
本体部１１，注ぎ口１１ａ，取手（鉉）１２の一部及び蓋１３に対して、図１に表面層の断面図を示すように、真鍮製のやかん素地１の上に金メッキ層を下地層２として電気メッキした。
次に表面にポリウレタン系の接着剤を薄く塗布し、この接着層３の上に金箔を箔層４として箔押しし、貼り合せた。
金メッキ浴としては、公知のアルカリシアン浴，中性浴，酸性浴を用いることができる。
プラチナメッキ浴も公知のジニトロジアミノ白金浴，硫酸プラチナ浴，塩化プラチナ浴等を用いることができる。
接着剤は主剤と硬化剤からなる二液性で希釈剤で薄めて塗った。
この状態で約１週間乾燥させた。
このようにして得られたやかんを本考案品とする。
また、比較のために従来の漆を使用して、メッキ層を設けることなく直接金箔を貼り合せた比較品を作成した。
このようにして製作した本考案品と比較品とを火にかけて、１日当たり６時間、湯沸かしに使用した。
本考案品は、１０日間連続使用しても外観に全く変化がなかったが、比較品は２日目にすでに一部金箔の剥がれが認められた。
これにより、本考案によるやかんは金箔が剥がれにくく、実用的であることが明らかになった。
【００１２】
上記の考案品において、金箔の替わりにプラチナ箔を用いたところ、金箔品と同様に１０日間連続使用してもプラチナ箔の剥がれが全くなかった。
また、金メッキの上に金箔、あるいはプラチナメッキの上にプラチナ箔を貼り合せることで密着性があり、また一部剥がれても下地と同色であるために外観上、見分けがつかない利点もある。
【００１３】
本実施例は、真鍮製のやかんを用いたが、ステンレス，アルミ，鉄製のやかんでも同様の効果が確認できた。
また、表面層はメッキの上に貼り付けた箔の上にさらに接着層を介して箔を二重あるいはそれ以上に貼り合せてもよい。
上記実施例は、やかんの装飾用に用いたものであるが、金箔やプラチナ箔が剥がれにくくなる点では各種金属製品にも適用できる。
【符号の説明】
【００１４】
１        素地
２        メッキ層（下地層）
３        接着層
４        箔層（表面層）
１０      やかん
１１      本体部
１１ａ    注ぎ口
１２      取手
１３      蓋
【図１】
0003203277.tif 000003
【図２】
0003203277.tif 000004
【手続補正書】
【提出日】平成28年1月27日(2016.1.27)
【手続補正１】
【補正対象書類名】実用新案登録請求の範囲
【補正対象項目名】全文
【補正方法】変更
【補正の内容】
【実用新案登録請求の範囲】
【請求項１】
下地層とその上に形成した表面層とを有し、前記下地層は金メッキ層であり、前記表面層は前記金メッキ層の上に接着剤を介して箔押しした金箔層であることを特徴とする湯沸かし器具。
【請求項２】
下地層とその上に形成した表面層とを有し、前記下地層はプラチナメッキ層であり、前記表面層は前記プラチナメッキ層の上に接着剤を介して箔押ししたプラチナ箔層であることを特徴とする湯沸かし器具。
【請求項３】
前記接着剤はポリウレタン系の樹脂接着剤からなることを特徴とする請求項１又は２記載の湯沸かし器具。
【手続補正２】
【補正対象書類名】明細書
【補正対象項目名】０００５
【補正方法】変更
【補正の内容】
【０００５】
本考案に係る湯沸かし器具（以下、やかんという）は、下地層とその上に形成した表面層とを有し、前記下地層は金メッキ層であり、前記表面層は前記金メッキ層の上に接着剤を介して箔押しした金箔層であることを特徴とする。
また、前記下地層はプラチナメッキ層であり、前記表面層は前記プラチナメッキ層の上に接着剤を介して箔押ししたプラチナ箔層であることを特徴とする。
ここで、接着剤はポリウレタン系の樹脂接着剤からなるのが好ましい。